(57)【要約】【課題】  ハイライト再生モード中に、早送り釦を押すとハイライト再生モードを解除するので、さらに続きから次の主要（ハイライト）シーンを再生して視聴したい場合には、再度リモコンなどの釦を操作してハイライト再生モードにする必要があり、使い勝手が悪いという問題があった。【解決手段】  記録媒体に記録した番組の主要シーンを再生するハイライト再生機能を備えた映像記録再生装置において、ハイライト再生機能の動作中に所定の機能の動作後、前記所定の動作を解除した場合、前記ハイライト再生機能の動作に戻ることを特徴とする。【選択図】  図６
2008042789.tif 000002
【特許請求の範囲】
【請求項１】
記録媒体に記録した番組の主要シーンを再生するハイライト再生機能を備えた映像記録再生装置において、
ハイライト再生機能の動作中に、所定の機能の動作を開始し所定の機能が動作した後、前記所定の動作を解除または終了した場合、前記ハイライト再生機能の動作に戻る制御手段を備えたことを特徴とする映像記録再生装置。
【請求項２】
請求項１記載の映像記録再生装置において、
前記所定の機能は、早送り機能または早戻し機能またはタイムスキップ機能であることを特徴とする映像記録再生装置。
【請求項３】
記録媒体に記録した番組のうちハイライトシーンの部分を再生するハイライト再生機能を備えた映像記録再生装置において、
ハイライト再生機能の動作中に、所定の機能の動作を開始し所定の機能が動作した後、前記所定の動作を解除または終了した場合の番組の再生位置が、ハイライトシーンの部分であるときは、ハイライトシーンのハイライト再生機能の動作に戻り、ハイライト再生の動作を継続する制御手段を備えたことを特徴とする映像記録再生装置。
【請求項４】
記録媒体に記録した番組のうちハイライトシーンの部分を再生するハイライト再生機能を備えた映像記録再生装置において、
ハイライト再生機能の動作中に、所定の機能の動作を開始し所定の機能が動作した後、前記所定の動作を解除または終了した場合の番組の再生位置が、
ハイライトシーンの部分であるときは、ハイライトシーンのハイライト再生機能の動作に戻り、ハイライト再生の動作を継続し、
ハイライトシーンの部分でないときは、その位置から再生を開始し、さらに次のハイライトシーンの部分はハイライトシーンのハイライト再生機能の動作に戻り、ハイライト再生の動作を継続する制御手段を備えたことを特徴とする映像記録再生装置。
【請求項５】
記録媒体に記録した番組のうちハイライトシーンの部分を再生するハイライト再生機能を備えた映像記録再生装置において、
ハイライト再生機能の動作中に、所定の機能の動作を開始し所定の機能が動作した後、前記所定の動作を解除または終了した場合の番組の再生位置が、
ハイライトシーンの部分であるときは、ハイライトシーンのハイライト再生機能の動作に戻り、ハイライト再生の動作を継続し、
ハイライトシーンの部分でないときは、その位置から次のハイライトシーンの部分へスキップし、ハイライトシーンのハイライト再生機能の動作に戻り、ハイライト再生の動作を継続する制御手段を備えたことを特徴とする映像記録再生装置。
【請求項６】
請求項３ないし請求項５のいずれか一つに記載の映像記録再生装置において、
前記所定の機能は、早送り機能または早戻し機能またはタイムスキップ機能であり、
前記ハイライトシーンは番組の主要シーンである
ことを特徴とする映像記録再生装置。
【発明の詳細な説明】
【技術分野】
【０００１】
本発明は、映像記録再生装置に係り、特にハイライト再生により番組を視聴する際の使い勝手改善に関する。
【背景技術】
【０００２】
記録した番組を短い時間で視聴するための機能として、映像記録再生装置におけるハイライト形式の再生動作を行う機能（ハイライト再生機能）がある。例えば、録画した１時間の番組の主要（ハイライト）と思われるシーンを自動で抜き取り、ハイライトシーンのみを５分間で再生するといった機能である。
【０００３】
このようなハイライト再生機能の従来技術として、特許文献１の技術がある。該公報には、課題として〔０００６〕に「…より的確なダイジェストを作成することができる…また、…元の内容をより残した形態でダイジェストを作成することができることにある。」と記載され、〔要約〕の〔解決手段〕には、「表示装置２に設定入力画面が表示された状態で使用者により入力装置２２を介してダイジェストの時間が入力設定された場合には、設定条件処理部１８において、ダイジェストの詳細を自動設定して作成条件を生成すると共に、その逆にダイジェストの詳細が入力設定された場合には、ダイジェストの時間を自動設定して作成条件を生成する。そして、スケジュール作成部１６において、設定されたダイジェストの作成条件と、ストリーム情報から取得したダイジェスト作成情報とに基づいて標準再生、数倍速再生、または、再生無しとを指定するようにダイジェストのタイムスケジュールを作成する。」と記載されている。
【０００４】
さらに、特許文献１の５ページ〔００２９〕では、「図２（ｂ）では、「ダイジェスト：ＯＮ」が選択された状態を示す。この状態においては、再生機器１において、ダイジェストの作成条件によって作成されたタイムスケジュールによる再生動作がなされる。また、この状態においては、使用者が、再生機器１の操作入力部の操作ボタンや外部コントロールユニット等の操作ボタンを使用して再生・巻き戻し・早送り等の動作を再生機器１に対して指示することができる。…」と記載されている。
【０００５】
また、非特許文献１として、ソニー株式会社製「デジタルハイビジョンチューナー内蔵ハードディスク搭載ＤＶＤレコーダーＲＤＺ−Ｄ９７Ａ、ＲＤＺ−Ｄ７７Ａ」がある。該レコーダでは、ダイジェスト（ハイライト）再生機能での再生動作中（ハイライト再生モード中）に、早送り釦を押すとハイライト再生モードを解除して再生画像を早送りで視聴することができる。
【０００６】
【特許文献１】特開２００２−２６２２２８号公報
【非特許文献１】ソニー株式会社製「デジタルハイビジョンチューナー内蔵ハードディスク搭載ＤＶＤレコーダーＲＤＺ−Ｄ９７Ａ、ＲＤＺ−Ｄ７７Ａ、ＲＤＺ−Ｄ８７取扱説明書」８９、９０ページ
【発明の開示】
【発明が解決しようとする課題】
【０００７】
近年、記録媒体としてのハードディスクの低価格化・大容量化により映像を記録するための映像記録再生装置にハードディスクを使用した製品が登場している。また映像記録再生装置において、複数のチューナーを搭載している製品も登場し、多チャンネル同時記録機能がある。このように大容量化、多チャンネル化により映像記録再生装置の利用者は、記録をしたい番組を複数チャンネル同時に、かつ大量の記録・保存することが可能となってきた。しかしその一方、利用者の視聴時間が不足するという問題を含んでいる。
【０００８】
通常の再生時にはリモコンなどの早送り釦や早戻し釦を操作することにより再生画像を早送りまたは早戻しで視聴する早送り・早戻し機能や、例えば３０秒スキップといった一定時間分だけ再生位置をスキップさせるタイムスキップ機能といった機能を利用できる。しかしながら、視聴時間の短縮するということではまだ不十分であった。
【０００９】
そこで映像記録再生装置においては、視聴時間を短縮するような機能が搭載されるようになってきている。例えば、早見機能や本編再生機能があげられる。早見機能とは映像と音声の再生速度を早くすることで視聴時間を短縮する機能である。また、本編再生機能とは映像信号や音声信号を解析することでＣＭ（コマーシャル）部を検出し、ＣＭ部を早送りやスキップして本編のみを再生することで視聴時間を短縮する機能である。
【００１０】
また、最近ではスポーツ番組などでは、主要（ハイライト）のシーンだけを見ることにより視聴時間をさらに短縮したいという要望が多くなってきた。この要望に対応するための視聴時間をさらに短縮する新しい機能として、番組記録時に映像・音声の解析を行い、自動的に主要（ハイライト）と思われるシーンを決定してハイライト形式の再生を可能とする機能（ハイライト再生機能）が登場している。ハイライト再生機能では、ハイライト再生機能を動作させるためにリモコン等の操作によりハイライト再生モードにすると、設定した再生時間で録画した番組の主要（ハイライト）と思われるシーンのみを再生して視聴できる。
【００１１】
ところで、上記ハイライト再生機能により決定された主要（ハイライト）と思われるシーンの中には、記録再生装置が自動的に主要シーンを決定しているため、ユーザにとってあまり重要と思われないシーンも含まれる場合がある。重要と思われないシーンを再生した時には、ユーザはその重要と思われないシーンを早送り機能やタイムスキップ機能を使って飛ばし、自分が重要と思われるシーンを探して視聴し、その後はまた主要シーンのみを視聴したいという要望が出てきた。
【００１２】
しかしながら、上記特許文献１記載の従来技術では、ハイライト再生機能での再生動作中（ハイライト再生モード中）に早送り釦または早戻し釦を押した後の動作については配慮されていない。そのため、ハイライト再生モード中に早送り釦または早戻し釦の操作を行った場合、ハイライト再生モードが解除され、通常の早送り・早戻し機能に変わってしまうので、早送り・早戻しを終了させたときに通常の再生モードに戻ってしまう。さらに続きから次の主要（ハイライト）シーンを再生して視聴したい場合には、再度リモコンなどの釦を操作してハイライト再生モードにする必要があり、使い勝手が悪いという問題があった。
【００１３】
また、上記非特許文献１記載の従来技術では、特許文献１と同様にハイライト再生モード中に、早送り釦を押すとハイライト再生モードを解除するので、早送り・早戻しを終了させたときに通常の再生モードに戻ってしまう。さらに続きから次の主要（ハイライト）シーンを再生して視聴したい場合には、再度リモコンなどの釦を操作してハイライト再生モードにする必要があり、使い勝手が悪いという問題があった。
【００１４】
本発明の目的は、ハイライト再生機能を備えた映像記録再生装置において、ハイライト再生モード中の早送り・早戻し機能の動作後早送り・早戻し機能を解除した場合、ハイライト再生モードに戻ることにより、使い勝手を改善した映像記録再生装置を提供することにある。
【課題を解決するための手段】
【００１５】
上記目的は，特許請求の範囲に記載の発明により達成される。
【発明の効果】
【００１６】
本発明によれば、ユーザにとって使い勝手の良い映像記録再生装置を提供することができる。
【発明を実施するための最良の形態】
【００１７】
以下に、本発明の実施の形態を説明する。
【００１８】
以下、本発明による映像記録再生装置の一実施例について図１〜図７を用いて説明する。
【００１９】
図１は、本発明によるハイライト再生機能を備えた映像記録再生装置のブロック図を示す。本発明による映像記録再生装置の構成及び動作概要について、図１を用いて説明する。
【００２０】
１０１はアナログ放送や外部入力などのアナログ映像・音声信号を受信するアナログ信号受信手段、１０２はデジタル放送のデジタル映像・音声信号を受信するデジタル信号受信手段、１０３はアナログ信号をデジタル信号に変換するＡ／Ｄコンバーター、１０４はＭＰＥＧ（Ｍｏｖｉｎｇ  Ｐｉｃｔｕｒｅ  Ｅｘｐｅｒｔｓ  Ｇｒｏｕｐ）方式でデータを圧縮または伸張するとともに各種の信号処理を行うデジタル信号処理回路、１０５はハードディスクなどの記録媒体に映像・音声データ及び各種情報を記録・保存するためのストレージ手段、１０６はデジタル信号をアナログ信号に変換するＤ／Ａコンバーター、１０７は入力された映像・音声信号の周波数特性や空間的特徴、時間的特徴を解析する映像・音声解析回路、１０８はデジタル放送に含まれるＳＩ情報を取り出すためのＳＩ情報デコード回路、１０９はリモコンから送信された再生時間の設定値などの各種入力情報を受信するためのリモコン入力手段、１１０はリモコン入力手段１０９によって受信された再生時間の設定値を反映する設定値入力回路、１１１は映像・音声解析回路１０７により解析されストレージ手段１０５に保存されていた解析情報と設定値入力回路１１０より入力された再生時間の設定値を元に再生する主要シーンを決定しさらに再生する主要シーンの再生位置情報を生成する再生位置情報生成回路、１１２は再生位置情報生成回路１１１により指定された再生位置情報を元に主要シーンのみを再生するよう制御する再生位置制御回路、１１３はデジタル信号処理回路１０４により処理された映像・音声を外部のテレビなどに出力する映像・音声端子である。また、１５１は本映像記録再生装置に各種情報を入力したり各種機能を操作するためのリモートコントロール装置（リモコン）である。リモコン１５１には、各種情報を入力や操作するためのディスクナビゲーション釦、ハイライト釦、早送り釦、早戻し釦、３０秒スキップ釦、カーソル釦、決定釦などが配置されている。
【００２１】
はじめに、記録時の動作について説明する。アナログ信号受信手段１０１で受信されたアナログ映像・音声信号は、Ａ／Ｄコンバーター１０３によりＡ／Ｄ変換され、デジタル信号処理回路１０４によりＭＰＥＧ方式で圧縮されストレージ手段１０５に記録・保存される。このとき同時にアナログ信号受信手段１０１で受信されたアナログ映像・音声信号は、映像・音声解析回路１０７により映像のシーンチェンジや色の変化、音声の音量の変化や広がりなどの特徴の解析が行われ、記録する番組ごとの特徴を示す解析情報が同じくストレージ手段１０５に記録・保存される。
【００２２】
一方、デジタル信号受信手段１０２で受信されたデジタル映像・音声信号は、デジタル信号処理回路１０４によりＭＰＥＧ方式で圧縮されストレージ手段１０５に記録・保存される。このとき同時にデジタル信号受信手段１０２で受信されたデジタル映像・音声信号は、Ｄ／Ａコンバーター１０６によってＤ／Ａ変換され、映像・音声解析回路１０７によって特徴の解析が行われ、記録する番組ごとの特徴を示す解析情報が同じくストレージ手段１０５に記録・保存される。
【００２３】
ここで、本映像記録再生装置では、記録時に映像・音声解析回路１０７により解析された解析情報と予め設定してある再生時間の設定値（例えば５分）を元に、再生位置情報生成回路１１１にて再生する主要（ハイライト）シーンを決定しさらに再生位置情報を生成しストレージ手段１０５に記録・保存している。ユーザがハイライト再生機能によって視聴する場合に多く選ばれると思われる再生時間（例えば５分）の主要（ハイライト）シーンを記録しておくことで、ハイライト再生機能開始時に主要（ハイライト）シーンを決定する処理が不要となり、再生開始が早くなり使い勝手が向上する。
【００２４】
さらに、本映像記録再生装置では、再生時間や番組のジャンルを元に再生する主要シーンを決めることで、より好みに合った精度の高い再生を実現している。デジタル放送の場合、番組中にＳＩ情報を持っているため、ＳＩ情報デコード回路１０８によってジャンル情報を取り出し、記録時に映像・音声解析回路１０７により解析された解析情報と予め設定してある再生時間の設定値（例えば５分）にジャンル情報を加えた情報を元に再生位置情報生成回路１１１にて主要シーンを決定しさらに再生位置情報を生成し、ストレージ手段１０５に保存している。このように、番組の主要シーンを決定する基準となる情報にジャンル情報を加えることにより、より好みに合った精度の高い再生を実現している。
【００２５】
次に、ハイライト再生機能によるハイライト再生モード時の動作について説明する。
【００２６】
まず、ユーザがリモコン１５１のディスクナビゲーション釦を押して、表示されたサムネイル一覧画面よりカーソル釦にて再生希望の番組を選択さらにハイライト再生を選択して決定釦を押すと、ハイライト再生モードとなりハイライト再生画面を表示し、以下の動作をする。
【００２７】
ハイライト再生モードになると、ストレージ手段１０５に保存されている再生する主要シーンの再生位置情報をもとに再生位置制御回路１１２はストレージ手段１０５の再生位置を制御して、再生対象となる主要シーンのみを再生することでハイライト再生機能を実現している。予め設定してある再生時間（例えば５分）及びＳＩ情報がある場合にはＳＩ情報のジャンル情報を元にジャンルに合った主要シーンの再生位置情報を記録時に記録しておくことにより、ハイライト再生機能開始時に主要シーンを決定する処理が不要となり、再生開始が早くなり使い勝手がよい。
【００２８】
また、再生時間やジャンルを変更したい場合は、リモコン１５１によって入力可能となっている。上記した操作によりハイライト再生モード中にリモコン１５１のハイライト釦を押しさらにカーソル釦によって入力設定されたジャンル及び再生時間の情報は、設定値入力回路１１０によって設定変更に反映され再生位置情報生成回路１１１へ入力される。入力されたジャンル及び再生時間の情報とストレージ手段１０５に保存されている記録番組の特徴を示す解析情報を元に再生位置情報生成回路１１１が再度再生する主要シーンを決定しさらに再生位置情報を生成し、再生位置制御回路１１２に送る。この再生位置情報をもとに再生位置制御回路１１２はストレージ手段１０５の再生位置を制御して、再生対象となる主要シーンのみを再生する。
【００２９】
ここで、主要シーンが再生されているときに、ユーザがリモコン１５１の早送り釦を押すと、早送りモードとなり再生画像を早送りで視聴できる。その後早送りを解除する操作（例えば再生釦押し）をすると、ハイライト再生モードに戻り主要シーンのみを再生し、主要ではないシーンの箇所はスキップされる。同様に、主要シーンが再生されているときに、早戻し釦を押すと、早戻しモードとなり再生画像を早戻しで視聴でき、解除操作するとハイライト再生モードに戻り主要シーンのみを再生する。また、主要シーンが再生されているときに、タイムスキップの１つである３０秒スキップ釦を押すと、３０秒分のシーンをスキップした後ハイライト再生モードに戻り主要シーンのみを再生する。このように、ハイライト再生モード中に再生画像を早送り・早戻し・タイムスキップ等の所定の機能で操作、視聴した後はハイライト再生モードに戻ることにより、再度ハイライト再生モードにする手間が省け、使い勝手が改善できる。
【００３０】
次に、本発明による映像記録再生装置のハイライト再生モード中の早送り・早戻し・タイムスキップ動作時の処理の流れを図２〜図５を用いて説明する。図２は本発明による映像記録再生装置のハイライト再生モード中の早送り動作時のフローチャート、図３は本発明による映像記録再生装置のハイライト再生モード中の早戻し動作時のフローチャート、図４は本発明による映像記録再生装置のハイライト再生モード中のタイムスキップ（フォワード）動作時のフローチャート、図５は本発明による映像記録再生装置のハイライト再生モード中のタイムスキップ（バック）動作時のフローチャートを示す。
【００３１】
まず、図２のフローチャートでハイライト再生モード中の早送り動作時の処理の流れを説明する。ステップＳ２０１でリモコン１５１のディスクナビゲーション釦を押して、表示されたサムネイル一覧画面より再生する番組及びハイライト再生を選択・決定すると、ハイライト再生モードとなりハイライト再生画面を表示し、ステップＳ２０２で再生する主要（ハイライト）シーンの再生位置情報をストレージ手段１０５より読み込む。ステップＳ２０３で読み込んだ再生位置情報を元に再生位置制御回路１１２はストレージ手段１０５の再生位置を制御して、ステップＳ２０４で再生する最初の主要シーンの先頭より再生を開始する。ステップＳ２０５で早送り操作入力がない場合は、ステップＳ２０６で再生位置が主要シーンの終わりに来たかを判断し、終わりに来た場合は、ステップＳ２０７で次の再生する主要シーンがあるかを判断する。次の再生する主要シーンがある場合はステップ２１３で次の主要シーンの先頭へスキップして先頭より再生を開始し、ステップＳ２０５に戻り、最後の主要シーンを再生するまで繰り返す。ステップＳ２０７で次の再生する主要シーンが無い場合は、ステップＳ２０８で再生を停止しハイライト再生モードを終了する。この処理は通常のハイライト再生モード時の処理である。
【００３２】
ステップＳ２０５で早送りの操作入力があった場合は、ステップＳ２０９で早送り機能動作の処理が開始され、ステップＳ２１０で再生位置制御回路１１２の制御によりストレージ手段１０５を早送りモードにし再生画像を早送りで出力する。その後、ステップＳ２１１で早送りを解除する操作入力があるまで早送りが実行され、ステップＳ２１１で早送りを解除する停止入力がされると早送り機能動作の処理を終了し、ステップＳ２１２でハイライト再生モードの処理に戻りその解除する操作入力があった位置より再生を開始し、ステップＳ２０５に戻り、最後の主要シーンを再生するまで繰り返す。この処理は、本発明に係り、ハイライト再生モード中に再生画像を早送りで視聴した後はハイライト再生モードに戻ることにより、再度ハイライト再生モードにする手間が省け、使い勝手が改善できる。
【００３３】
次に、図３のフローチャートでハイライト再生モード中の早戻し動作時の処理の流れを説明する。尚ここでは、ステップＳ３０１からステップＳ３０８までの処理は、図２で説明した通常のハイライト再生モード時の処理と同様なので、ここでは説明を省略する。
【００３４】
ステップＳ３０５で早戻しの操作入力があった場合は、ステップＳ３０９で早戻し機能動作の処理が開始され、ステップＳ３１０で再生位置制御回路１１２の制御によりストレージ手段１０５を早戻しモードにし再生画像を早戻しで出力する。その後、ステップＳ３１１で早戻しを解除する操作入力があるまで早戻しが実行され、ステップＳ３１１で早戻しを解除する停止入力がされると早戻し機能動作の処理を終了し、ステップＳ３１２でハイライト再生モードの処理に戻りその解除する操作入力があった位置より再生を開始し、ステップＳ３０５に戻り、最後の主要シーンを再生するまで繰り返す。この処理は、本発明に係り、ハイライト再生モード中に再生画像を早戻しで視聴した後はハイライト再生モードに戻ることにより、再度ハイライト再生モードにする手間が省け、使い勝手が改善できる。
【００３５】
図４のフローチャートでハイライト再生モード中のタイムスキップ（フォワード）動作時の処理の流れを説明する。尚ここでは、ステップＳ４０１からステップＳ４０５、Ｓ４０８までの処理は、図２で説明した通常のハイライト再生モード時の処理と同様なので、ここでは説明を省略する。
【００３６】
ステップＳ４０５でタイムスキップ（フォワード）の操作入力があった場合は、ステップＳ４０９で予め決められた時間分（例えば３０秒）のシーンだけフォワード方向にスキップした後ハイライト再生モードの処理に戻り再生を開始し、ステップＳ４０５に戻り、最後の主要シーンを再生するまで繰り返す。この処理は、本発明に係り、ハイライト再生モード中に再生画像を３０秒スキップした場合でもスキップ動作が終了するとハイライト再生モードに戻ることにより、再度ハイライト再生モードにする手間が省け、使い勝手が改善できる。
【００３７】
図５のフローチャートでハイライト再生モード中のタイムスキップ（バック）動作時の処理の流れを説明する。尚ここでは、ステップＳ５０１からステップＳ５０５、Ｓ５０８までの処理は、図２で説明した通常のハイライト再生モード時の処理と同様なので、ここでは説明を省略する。
【００３８】
ステップＳ５０５でタイムスキップ（バック）の操作入力があった場合は、ステップＳ５０９で予め決められた時間分（例えば３０秒）のシーンだけバック方向にスキップした後ハイライト再生モードの処理に戻り再生を開始し、ステップＳ５０５に戻り、最後の主要シーンを再生するまで繰り返す。この処理は、本発明に係り、ハイライト再生モード中に再生画像を３０秒スキップした場合でもスキップ動作が終了するとハイライト再生モードに戻ることにより、再度ハイライト再生モードにする手間が省け、使い勝手が改善できる。
【００３９】
図６は本発明による映像記録再生装置においてハイライト再生モード中に早送り・早戻しをした時の動作状態を示し、図６（ａ）はハイライト再生時の動作状態、図６（ｂ）は早送り動作時の動作状態、図６（ｃ）は早戻し動作時の動作状態を示す。ここでは、１つの番組の中に、主要シーンＡ６０１、主要シーンＢ６０２、主要シーンＣ６０３、主要シーンＤ６０４の４つの主要（ハイライト）シーンがある場合で説明する。
【００４０】
まず、ハイライト再生モード時の動作を、図６（ａ）を用いて説明する。上述したようにリモコン１５１からの操作によりハイライト再生モードになると、主要シーンＡ６０１の先頭位置より再生動作を開始し、主要シーンＡ６０１の終わり位置になるとスキップ動作となり、次の主要シーンＢ６０２の先頭位置になると再生動作を開始する。その後は、同様に主要シーンＢ６０２の終わり位置になるとスキップ動作し次の主要シーンＣ６０３の先頭位置から再生動作、主要シーンＣ６０３の終わり位置になるとスキップ動作し次の主要シーンＤ６０４の先頭位置から再生動作を繰り返し、最後の主要シーンＤ６０４の終わり位置になると再生動作が停止してハイライト再生モード時の動作を終了する。
【００４１】
次に、ハイライト再生モード中に早送り動作を行った場合の動作を、図６（ｂ）を用いて説明する。ハイライト再生モードになると、主要シーンＡ６０１の先頭位置より再生動作を開始し、途中で早送り釦が押下された場合は早送り動作状態になり再生画像を早送りで視聴する。ここで、主要シーンＡ６０１の終わり位置を越えた場合でも早送り動作状態は早送り解除操作がなられるまで続けられる。主要シーンでない箇所で早送り解除操作がなされると、解除操作がなされた箇所から再生動作状態になり次の主要シーンＢ６０２の終わり位置になるまで再生動作を続ける。その後、主要シーンＢ６０２の終わり位置になるとスキップ動作となり、次の主要シーンＣ６０３の開始位置になると再生動作を開始する。主要シーンＣ６０３の途中で早送り釦が押下された場合は早送り動作状態になり再生画像を早送りで視聴する。ここで、主要シーンＣ６０３の途中で早送り解除操作がなされると、解除操作がなされた箇所から再生動作状態になり主要シーンＣ６０３の終わり位置になるとスキップ動作となる。以降図６（ａ）で説明した動作と同じ動作をする。このように、ハイライト再生モード中に早送り視聴をしても、早送りを解除するとハイライト再生モードに戻り、それ以降の主要シーンを再生するようになっているので、ハイライト再生モードに戻すという操作が不要となり、使い勝手が向上する。
【００４２】
次に、ハイライト再生モード中に早戻し動作を行った場合の動作を、図６（ｃ）を用いて説明する。ハイライト再生モードになると、主要シーンＡ６０１の先頭位置より再生動作を開始し、主要シーンＡ６０１の終わり位置になるとスキップ動作となり、次の主要シーンＢ６０２の先頭位置になると再生動作を開始する。主要シーンＢ６０２の途中で早戻し釦が押下された場合は早戻し動作状態になり再生画像を早戻しで視聴する。ここで、主要シーンＢ６０２の先頭位置を越えた場合でも早戻し動作状態は早戻し解除操作がなられるまで続けられる。主要シーンでない箇所で早戻し解除操作がなされると、解除操作がなされた箇所から再生動作状態になり、主要シーンＢ６０２の終わり位置になるまで再生動作を続ける。その後、主要シーンＢ６０２の終わり位置になるとスキップ動作となり次の主要シーンＣ６０３の先頭位置になると再生動作を開始する。主要シーンＣ６０３の途中で早戻し釦が押下された場合は早戻し動作状態になり再生画像を早戻しで視聴する。ここで、主要シーンＣ６０３の途中で早戻し解除操作がなされると、解除操作がなされた箇所から再生動作状態になり主要シーンＣ６０３の終わり位置になるとスキップ動作となる。以降図６（ａ）で説明した動作と同じ動作をする。このように、主要シーンを再生中に早戻し視聴をした場合、早戻しを解除した箇所から再生するようにしているので、本映像記録再生装置が主要シーンとしたシーンの前シーンを簡単に再生して視聴できるので、使い勝手がよい。
【００４３】
図７は本発明による映像記録再生装置においてハイライト再生モード中にタイムスキップ（例えば３０秒スキップ）をした時の動作状態を示し、図７（ａ）はハイライト再生時の動作状態、図７（ｂ）は３０秒スキップ（フォワード）動作時の動作状態、図７（ｃ）は３０秒スキップ（バック）動作時の動作状態を示す。ここでは、１つの番組の中に、主要シーンＡ７０１、主要シーンＢ７０２、主要シーンＣ７０３、主要シーンＤ７０４の４つの主要（ハイライト）シーンがある場合で説明する。尚、図７（ａ）に示すハイライト再生モード時の動作は、図６（ａ）と同じであるためここでの説明は省略する。
【００４４】
ハイライト再生モード中に３０秒スキップ（フォワード）動作を行った場合の動作を、図７（ｂ）を用いて説明する。ハイライト再生モードになると、主要シーンＡ７０１の先頭位置より再生動作を開始し、途中で３０秒スキップ（フォワード）釦が押下された場合はスキップ動作状態になり３０秒分シーンをフォワード側にスキップする。ここで、主要シーンＡ７０１の終わり位置を越えた場合は主要シーンでない箇所でスキップ動作が解除（自動で解除され終了する）され、解除された箇所から再生動作状態になり、次の主要シーンＢ７０２の終わり位置になるまで再生動作を続ける。その後、主要シーンＢ７０２が終了する位置になるとスキップ動作となり、次の主要シーンＣ７０３の先頭位置になると再生動作を開始する。主要シーンＣ７０３の途中で３０秒スキップ（フォワード）釦が押下された場合はスキップ動作状態になり３０秒分シーンをフォワード側にスキップする。ここで、主要シーンＣ７０３の途中でスキップ動作が解除されると、解除された箇所から再生動作状態になり、主要シーンＣ７０３の終わり位置になるとスキップ動作となる。以降図６（ａ）で説明した動作と同じ動作をする。このように、ハイライト再生モード中に３０秒スキップ動作をしても、３０秒分シーンをスキップした箇所よりハイライト再生モードに戻り、それ以降の主要シーンを再生するようになっているので、ハイライト再生モードに戻すという操作が不要となり、さらに使い勝手が向上する。
【００４５】
次に、ハイライト再生モード中に３０秒スキップ（バック）動作を行った場合の動作を、図７（ｃ）を用いて説明する。ハイライト再生モードになると、主要シーンＡ７０１の先頭位置より再生動作を開始し、主要シーンＡ７０１の終わり位置になるとスキップ動作となり、次の主要シーンＢ７０２の先頭位置になると再生動作を開始する。主要シーンＢ７０２の途中で３０秒スキップ（バック）釦が押下された場合はスキップ動作状態になり３０秒分シーンを戻すようにスキップする。ここで、主要シーンＢ７０２の先頭位置を越えた場合は主要シーンでない箇所でスキップ動作が解除され、解除された箇所から再生動作状態になり主要シーンＢ７０２の終わり位置になるまで再生動作を続ける。その後、主要シーンＢ７０２の終わり位置になるとスキップ動作となり、次の主要シーンＣ７０３の先頭位置になると再生動作を開始する。主要シーンＣ７０３の途中で３０秒スキップ（バック）釦が押下された場合はスキップ動作状態になり３０秒分シーンを戻すようにスキップする。ここで、主要シーンＣ７０３の途中でスキップ動作が解除されると、解除された箇所から再生動作状態になり、主要シーンＣ７０３の終わり位置になるとスキップ動作となる。以降図６（ａ）で説明した動作と同じ動作をする。このように、主要シーンを再生中に３０秒スキップ（バック）動作をしても、３０秒分シーンを戻した箇所より再生するようにしているので、本映像記録再生装置が主要シーンとしたシーンの前シーンを簡単に再生して視聴できるので、さらに使い勝手がよい。
【００４６】
本実施例では、ハイライト再生モード中の早送り・早戻し・タイムスキップ動作状態で主要シーンを越えてから解除された場合、その解除された箇所から再生を開始するとしたが、早送り・早戻し・タイムスキップモードが解除された箇所が主要シーンではない場合、次の主要シーンの先頭へスキップして先頭からハイライト再生するようにしてもよい。このようにすると、次の主要シーンまでの再生時間が長い場合に、主要でないシーンをスキップするので、時間短縮ができ使い勝手がよい。
【００４７】
また、ハイライト再生モード中の早送り・早戻し動作状態で、主要シーンを超えた場合、さらに次または前の主要シーンへ到達したとしても、次または前の主要シーンにおいても早送りまたは早戻し動作を解除しないときは早送りまたは早戻し動作を継続するようにしてもよい。
【００４８】
本発明によれば、ハイライト再生機能を備えた映像記録再生装置において、ハイライト再生モード中に、早送り・早戻し・タイムスキップ等の機能の動作後、早送り・早戻し・タイムスキップ等の機能を解除（終了）した場合、ハイライト再生モードに戻ることにより、ユーザにとっての使い勝手を改善することができる。
【図面の簡単な説明】
【００４９】
【図１】本発明によるハイライト再生機能を備えた映像記録再生装置のブロック図。
【図２】本発明による映像記録再生装置のハイライト再生モード中の早送り動作時のフローチャート。
【図３】本発明による映像記録再生装置のハイライト再生モード中の早戻し動作時のフローチャート。
【図４】本発明による映像記録再生装置のハイライト再生モード中のタイムスキップ（フォワード）動作時のフローチャート。
【図５】本発明による映像記録再生装置のハイライト再生モード中のタイムスキップ（バック）動作時のフローチャート。
【図６】本発明による映像記録再生装置においてハイライト再生モード中に早送り・早戻しをした時の動作状態の説明図。
【図７】本発明による映像記録再生装置においてハイライト再生モード中に３０秒スキップをした時の動作状態の説明図。
【符号の説明】
【００５０】
１０１…アナログ信号受信手段、１０２…デジタル信号受信手段、
１０３…Ａ／Ｄコンバーター、１０４…デジタル信号処理回路、１０５…ストレージ手段、１０６…Ｄ／Ａコンバーター、１０７…映像・音声解析回路、
１０８…ＳＩ情報デコード回路、１０９…リモコン入力手段、１１０…設定値入力回路、
１１１…再生位置情報生成回路、１１２…再生位置制御回路１１３…映像・音声端子、
１５１…リモコン、６０１、７０１…主要シーンＡ、６０２、７０２…主要シーンＢ、
６０３、７０３…主要シーンＣ、６０４、７０４…主要シーンＣ。
【図１】
2008042789.tif 000003
【図２】
2008042789.tif 000004
【図３】
2008042789.tif 000005
【図４】
2008042789.tif 000006
【図５】
2008042789.tif 000007
【図６】
2008042789.tif 000008
【図７】
2008042789.tif 000009